(57)【要約】【課題】所望の画像データにより形成された画像をスタンプのように瞬時に接触転写できるプリンターを提供すること。【解決手段】文字情報を含む画像データを受信する受信部と、受信した画像データに基づいて画像をインクで転写部材に印刷するプリントヘッドと、印刷された転写部材の被印刷部分を接触転写可能位置へ移動させる搬送部材とを備え、被印刷部分を所望の記録媒体に接触させることにより前記画像のスタンプ動作が行われるスタンプ式プリンター。【選択図】図４
2010030272.tif 000002
【特許請求の範囲】
【請求項１】
文字情報を含む画像データを受信する受信部と、受信した画像データに基づいて画像をインクで転写部材に印刷するプリントヘッドと、印刷された転写部材の被印刷部分を接触転写可能位置へ移動させる搬送部材とを備え、被印刷部分を所望の記録媒体に接触させることにより前記画像のスタンプ動作が行われるスタンプ式プリンター。
【請求項２】
受信部が赤外線受光素子を備え、赤外線受光素子を介して画像データを受信してプリントヘッドに印刷を実行させる制御部をさらに備える請求項１記載のスタンプ式プリンター。
【請求項３】
プリントヘッドはインク吐出ノズルアレイを有するインクジェットヘッドであり、転写部材はエンドレスベルトからなり、インク吐出ノズルアレイがエンドレスベルトの主走査方向にインクを吐出し、かつ、搬送部材がエンドレスベルトを副走査方向に移動させることにより、転写部材への印刷が行われる請求項１記載のスタンプ式プリンター。
【請求項４】
プリントヘッドと転写部材と搬送部材を収容する筐体と、筐体内でプリントヘッドと転写部材と搬送部材を支持する枠体とをさらに備え、筐体は前記接触転写可能位置にある被印刷部分を筐体から露出させるための開口を有する請求項１記載のスタンプ式プリンター。
【請求項５】
筐体は枠体に支持された上部外装と下部外装からなり、上部外装はとりはずし可能に枠体に支持され、下部外装は前記開口を有する請求項４記載のスタンプ式プリンター。
【請求項６】
下部外装は弾性部材を介して枠体を支持し、弾性部材に抗して枠体を下部外装に対して移動させることにより被印刷部分が前記開口から露出して前記記録媒体への接触が可能になる請求項５記載のスタンプ式プリンター。
【請求項７】
筐体に着脱可能に装着され前記開口を覆うカバーをさらに備える請求項４記載のスタンプ式プリンター。
【請求項８】
筐体に着脱可能に装着されて前記開口を覆うカバーをさらに備え、前記カバーは筐体に装着されたときに枠体を下部外装に対して移動させない構造を有する請求項６記載のスタンプ式プリンター。
【請求項９】
プリントヘッドと搬送部材を駆動制御する制御部と、制御部にスイッチを介して電力を供給する電源とをさらに備え、前記スイッチは前記カバーの着脱動作に連動して開閉する請求項７記載のスタンプ式プリンター。
【請求項１０】
転写部材を清掃する清掃部材をさらに備える請求項１記載のスタンプ式プリンター。
【請求項１１】
転写部材を清掃する清掃部材と、プリントヘッドを駆動する電池とをさらに備え、枠体は清掃部材とプリントヘッドと電池を上部外装内で離脱可能に支持し、上部外装をとりはずすことにより、清掃部材とプリントヘッドと電池とが交換可能である請求項１０記載のスタンプ式プリンター。
【請求項１２】
画像データの受信が可能なタイミングを表示する表示部をさらに備える請求項２記載のスタンプ式プリンター。
【請求項１３】
転写部材の被印刷部分が前記接触転写可能位置へ搬送されたことを表示する表示部をさらに備える請求項１記載のスタンプ式プリンター。
【請求項１４】
受信した画像データを一時格納する格納部と、格納データをプリントヘッドが転写部材に印刷するよう制御部に指令する手動指令部材をさらに備える請求項２記載のスタンプ式プリンター。
【請求項１５】
制御部は、時間を計時する計時部と、所定時間以上前記手動指令部材が指令しないときに格納部の画像データを消去する機能をさらに備える請求項１４記載のスタンプ式プリンター。
【請求項１６】
転写部材の移動位置を検出する検出器と、検出器の出力に基づいて搬送部材を駆動制御する制御部とをさらに備える請求項１記載のスタンプ式プリンター。
【請求項１７】
前記カバーと枠体は、前記カバーが筐体に装着されたときに転写部材をプリントヘッドに接触させる機構を備える請求項７記載のスタンプ式プリンター。
【請求項１８】
枠体は転写部材をプリントヘッドに対して接触可能に離れて保持する保持部材を備え、前記カバーは筐体に装着されたときに転写部材を押圧してプリントヘッドに接触させるリブを備える請求項８記載のスタンプ式プリンター。
【請求項１９】
転写部材と搬送部材が、エンドレスの転写ベルトと、転写ベルトを架設する駆動ローラおよびテンションローラからなる請求項１記載のスタンプ式プリンター。
【請求項２０】
転写ベルトを裏面から保持する保持部材をさらに備える請求項１９記載のスタンプ式プリンター。
【請求項２１】
テンションローラを付勢して転写ベルトに張力を与える備える付勢部材をさらに備える請求項１９記載のスタンプ式プリンター。
【請求項２２】
転写ベルトは表面がＰＦＡ又はＰＴＦＥで被覆されてなる請求項１９記載のスタンプ式プリンター。
【発明の詳細な説明】
【技術分野】
【０００１】
本発明は、スタンプ式プリンターに関し、特に、記録用紙などに画像を形成するコンパクトサイズの画像形成装置に関する。
【背景技術】
【０００２】
プリンターや複合機、またデジタルカメラから写真サイズの印画紙や特殊紙にプリントするプリンターなどは、あらかじめ用意された定型サイズの用紙全体にプリント（印刷）できるようにサイズが大型である。
また、ゴム印で代表される簡易スタンプは、用紙を特定せずにスタンプ（印刷）できるようになっているが、これらスタンプする文字や図はあらかじめ固定されている。
【０００３】
これに対し、記録用紙にプリントするプリンターのように、パソコン、携帯電話、デジタルカメラ等からのデータを直接スタンプするコンパクトなものが開発されてきている。
例えば、インクリボンを採用した小型プリンターを印刷したい箇所に置いて、インクリボン上にサーマルヘッドを移動するスタンプ型の熱転写方式のものが知られている（例えば、特許文献１参照）。
【先行技術文献】
【特許文献】
【０００４】
【特許文献１】特開平２００２−２６４３９９号公報
【発明の概要】
【発明が解決しようとする課題】
【０００５】
しかしながら、従来のこのようなスタンプ型プリンターでは、プリンターを印刷したい場所に置いて、内部のサーマルヘッドの稼動中は印刷面に対してプリンターを動かさずに保持しておく必要があり、ゴム印をスタンプするような時間に比べ、はるかに長い保持時間を要する。また、その時間だけ確実に保持しないと満足な印字が得られないという問題がある。
この発明はこのような事情を考慮してなされたもので、任意の画像をゴム印をスタンプするような要領で手軽に印字可能なスタンプ式プリンターを提供するものである。
【課題を解決するための手段】
【０００６】
この発明は、文字情報を含む画像データを受信する受信部と、受信した画像データに基づいて画像をインクで転写部材に印刷するプリントヘッドと、印刷された転写部材の被印刷部分を接触転写可能位置へ移動させる搬送部材とを備え、被印刷部分を所望の記録媒体に接触させることにより前記画像のスタンプ動作が行われるスタンプ式プリンターを提供するものである。
【発明の効果】
【０００７】
この発明によれば、受信した画像データに基づく画像がプリントヘッドから吐出されるインクによって印刷され、印刷された転写部材の被印刷部分が、搬送部材により接触転写可能位置へ搬送される。従って、被印刷部分を所望の記録媒体へ接触させることにより、瞬時にスタンプ動作、つまり、接触転写が行われる。
【図面の簡単な説明】
【０００８】
【図１】この発明のスタンプ式プリンターの外観斜視図である。
【図２】この発明のスタンプ式プリンターの使用状態を示す説明図である。
【図３】図１において上部外装を外した斜視図を示す。
【図４】この発明のスタンプ式プリンターの正面から見た断面図である。
【図５】この発明のスタンプ式プリンターの側面から見た断面図である。
【図６】この発明のスタンプ式プリンターの要部斜視図である。
【図７】この発明のスタンプ式プリンターの横断面図である。
【図８】この発明のスタンプ式プリンターの軸受けの構造図である。
【図９】この発明のスタンプ式プリンターの枠体の構造図である。
【図１０】この発明のスタンプ式プリンターの保持パネルの構造図である。
【図１１】この発明のスタンプ式プリンターの枠体の外面構成を示すための図４対応図である。
【図１２】この発明のスタンプ式プリンターにカバーが装着されたときの図１１対応図である。
【図１３】この発明のスタンプ式プリンターにカバーが装着されたときの図５対応図である。
【図１４】この発明のスタンプ式プリンターにカバーが装着されたときのカバーの機能を示す説明図である。
【図１５】この発明のスタンプ式プリンターの制御系のブロック図である。
【図１６】この発明のスタンプ式プリンターの動作を示すフローチャートである。
【発明を実施するための形態】
【０００９】
この発明によるスタンプ式プリンターは、文字情報を含む画像データを受信する受信部と、受信した画像データに基づいて画像をインクで転写部材に印刷するプリントヘッドと、印刷された転写部材の被印刷部分を接触転写可能位置へ移動させる搬送部材とを備え、被印刷部分を所望の記録媒体に接触させることにより前記画像のスタンプ動作が行われることを特徴とする。
【００１０】
ここで、画像データを受信する受信部とは、例えば、赤外線信号を受光器や、無線信号を受信する受信器などである。
従って、受信部が赤外線受光素子を備え、スタンプ式プリンターが赤外線受光素子を介して画像データを受信してプリントヘッドに印刷を実行させる制御部をさらに備えることが好ましい。
【００１１】
また、プリントヘッドは例えば、インク吐出ノズルアレイを有するインクジェットヘッドであり、転写部材はエンドレスベルトからなり、インク吐出ノズルアレイがエンドレスベルトの主走査方向にインクを吐出し、搬送部材がエンドレスベルトを副走査方向に移動させることにより、転写部材への印刷が行われる。
また、所望の記録媒体としては、一般の印刷用紙のみならず、ノートや手帳、名刺、レシート、チラシの裏面、カレンダー、シャツ、ハンカチ、ティッシュなどが挙げられる。
【００１２】
この発明のスタンプ式プリンターは、プリントヘッドと転写部材と搬送部材を収容する筐体と、筐体内でプリントヘッドと転写部材と搬送部材を支持する枠体とをさらに備え、筐体は前記接触転写可能位置において被印刷部分を筐体から露出させてもよい。
【００１３】
筐体は枠体に支持された上部外装と下部外装からなり、上部外装はとりはずし可能に枠体に支持され、下部外装は前記開口を有するものであってもよい。
下部外装は弾性部材を介して枠体を支持し、弾性部材に抗して枠体を下部外装に対して移動させることにより被印字部分が開口から露出して前記記録媒体への接触が可能であってもよい。
【００１４】
筐体に着脱可能に装着され前記開口を覆うカバーをさらに備えてもよい。
また、前記カバーは、筐体に装着されたときに枠体を下部外装に対して移動させない構造を有してもよい。
プリントヘッドと搬送部材を駆動制御する制御部と、制御部にスイッチを介して電力を供給する電源とをさらに備え、前記スイッチは前記カバーの着脱動作に連動して開閉するようにしてもよい。
【００１５】
転写部材を清掃する清掃部材をさらに備えてもよい。
転写部材を清掃する清掃部材と、プリントヘッドを駆動する電池とをさらに備え、枠体は清掃部材とプリントヘッドと電池を上部外装内で離脱可能に支持し、上部外装をとりはずすことにより、清掃部材とプリントヘッドと電池とが交換可能であってもよい。
【００１６】
印字データの受信が可能なタイミングを表示する表示部をさらに備えてもよい。
転写部材の被印刷部分が接触転写可能位置へ搬送されたことを表示する表示部をさらに備えてもよい。
【００１７】
受信した画像データを一時格納する格納部と、格納データをプリントヘッドが転写部材に印刷するよう制御部に指令する手動指令部材をさらに備えてもよい。
制御部は時間を計時する計時部と、所定時間以上指令部材が指令しないとき、格納部の印字データを消去する機能をさらに備えてもよい。
転写部材の被印刷部分の位置を検出する検出器と、検出器の出力に基づいて搬送部材を駆動制御する制御部とをさらに備えてもよい。
【００１８】
この発明において、前記カバーと枠体は、前記カバーが筐体に装着されたときに転写部材をプリントヘッドに接触させる機構を備えることが好ましい。
これによって、不使用時に、転写部材をプリントヘッドに密着させてインクの乾燥を防ぎ、ノズルのつまりを抑制することができる。
【００１９】
枠体は転写部材をプリントヘッドに対して接触可能に離れて保持する保持部材を備え、カバーは筐体に装着されたときに保持部材を押圧して転写部材をプリントヘッドに接触させるリブを備えてもよい。
【００２０】
転写部材と搬送部材が、エンドレスの転写ベルトと、転写ベルトを架設する駆動ローラおよびテンションローラであってもよい。
転写ベルトを裏面から保持する保持部材をさらに備えてもよい。
テンションローラを付勢して転写ベルトに張力を与える備える付勢部材をさらに備えてもよい。
転写ベルトは表面がＰＦＡ又はＰＴＦＥで被覆されてもよい。
【００２１】
以下、図面に示す実施形態に基づいて本発明を詳述する。
図１は、この発明のスタンプ式プリンターを示す斜視図である。図１（ａ）に示すように、スタンプ式プリンター１００は、幅Ｗが６０ｍｍ、奥行Ｄが４０ｍｍ、高さＨが７２ｍｍである。スタンプするときには、カバー３を下方へ引いて、図１（ｂ）のようにカバー３を外す必要がある。筐体５０は、上部外装１と下部外装２から構成される。
【００２２】
なお、カバー３を取付ける場合には、カバー３を下から下部外装２に挿入し、上部外装１をカバー３に押付ける。
それによって、上部外装１の下部外周面の凹部７６ａに、カバー３の上部外周面の係止部７６がスナップアクションで係止する。そして、上部外装１のエッジ１ｅとカバー３のエッジ３ｅとが突合わされた状態で、カバー３は上部外装１に固定される。上部外装１には、透明樹脂製の赤外線受光部４があり、下部外装２には、ＬＥＤ発光部５がある。
【００２３】
カバー３を外すことで、本体内部の電源が入り、ＬＥＤ発光部５は赤色を１〜２秒点灯後、緑色を連続的に点灯する。緑色点灯後、図示しない携帯端末などから画像データが赤外線で発信されると、赤外線受光部４にそのデータが受信され、受信完了と共にＬＥＤ発光部５が緑の点滅に変化する。この間の時間、つまりデータ転送に要する時間は約２秒である。緑点滅は、スタンプ動作ＯＫであることを示す。
【００２４】
そこで、使用者は図２（ａ）で示すように上部外装１を手で持ち、用紙Ｐの所望のスタンプ位置に、下部外装３に付設されているマーク６を基準として位置を合せ、上部外装１を下に押しスタンプする。
この押すストロークは、この実施形態の場合４ｍｍである。図２（ｂ）のように上部外装１を持ち上げると、用紙Ｐへの印刷は完了し、ＬＥＤ発光部５は再び緑の連続点灯に変化する。
【００２５】
スタンプ式プリンター１００の上部外装１と下部外装２は後述のようにバネで離された状態にあり、スタンプ式プリンター１００を下向きに机の上に置いても４ｍｍ以上押さないかぎりスタンプ動作とならない。
【００２６】
カバー３（図１）を下部外装２に装着すると、内部の電源は切断され、ＬＥＤ発光部５は消灯する。
また、前述のように、カバー３が装着された状態では、カバー３のエッジ３ｅと上部外装１のエッジ１ｅとが突当る構造をとっているため、上部外装１は下部外装２に近づくことはできない。
【００２７】
図２（ｂ）にＡＢＣの文字のスタンプ画像７を表示しているが、名前、住所等に代表される文字や、写真、地図に代表される画像であってもよい。この実施形態でのプリント可能な縦寸法Ｌ１は最大１１ｍｍ、横寸法Ｌ２は最大３５ｍｍである。スタンプ式プリンターのサイズを大きくすれば、このプリント可能範囲は大きくすることができる。
【００２８】
この発明のプリンターによれば、スタンプする用紙Ｐは手持ちの手帳や名刺、レシートやチラシの裏紙でもよい。また、壁に掛けたカレンダーの日付に予定をスタンプすることや、シャツやハンカチ、ティッシュにもスタンプ可能である。
下部外装２の手動指令部材としての継続ボタン（ＬＥＤ発光部と兼用）５をスタンプ後に押せば、再度ＬＥＤ発光部は緑色の点滅から緑色の連続点灯に切り替わり、既にスタンプしたデータを再度スタンプすることが可能となる。
【００２９】
この動作を繰り返すことによって、同じデータを何回もスタンプすることが可能であり、ゴム印のように使用できる。これはまた、マル秘スタンプや日付スタンプとして利用することができる。
【００３０】
また、パソコンや携帯端末に記憶させている宛先データをスタンプ式プリンター１００に送信することによって、封筒や葉書に宛先をプリントすることもできる。現在一般的に使われているＡ４サイズのラベル用紙にプリンターで印刷して、ラベル用紙から宛先ラベルを剥がし、封筒や葉書に貼付けている作業が、この発明のスタンプ式プリンター１００によって直接印刷することによって可能となり、ラベル用紙が節約できる。
【００３１】
また、携帯電話の液晶表示部に呼び出した写真、地図などの情報を赤外線通信などを介して手帳や名刺などへ印刷したり、パソコンに表示した内容をのし紙などへ印刷することも可能となる。
【００３２】
図３は上部外装１を取り除いたスタンプ式プリンター１００の斜視図を示す。上部外装１はとりはずし可能に枠体８に支持されている。
下部外装２の上に枠体８が搭載され、その枠体８にリチウム電池９、インクカートリッジ１０（プリントヘッド一体型）、クリーナカートリッジ１４、およびコントロール基板１２が離脱可能に装着されている。いずれも上部からの差込みにより装着される。
【００３３】
コントロール基板１２には赤外線受光部４を介して画像データを受光する赤外線受光素子１３や、後述する制御部１６０（図１５）およびＳＤＲＡＭ３２（図１５）などが実装されている。
【００３４】
図４は、正面から見たスタンプ式プリンター１００の断面図である。
スタンプ式プリンター１００は、転写部材としての転写ベルト１７、搬送部材としての駆動ローラ１５およびテンションローラ１６、プリントヘッドとしてのインクジェットヘッド３０、保持部材としての保持パネル１８などを備える。上部外装１は枠体８に離脱可能に装着され係止片６０によって係止されている。
【００３５】
クリーナカートリッジ１４内にクリーナシート１１が装填され、弾性的に支持された加圧ローラ５９により転写ベルト１７に加圧されている。枠体８には、転写ベルト１７を駆動する駆動ローラ１５およびテンションローラ１６が設けられる。ローラ１５、１６は転写ベルト１７を架設し、保持パネル１８が転写ベルト１７の裏側に設けられる。枠体８の両側に突出するロック爪２１，２２のボス２１ａ，２２ａと、下部外装２の内壁から突出するバネ支持片６１，６２のボス６１ａ，６２ａとの間に復帰バネ１９，２０が設けられている。
【００３６】
下部外装２は、枠体８に対し復帰バネ１９、２０により下方向に付勢されている。また、枠体８のロック爪２１，２２は、下部外装２の抜け止めのストッパーとなっている。保持パネル１８上にはステッピングモータ２７が設けられ、出力軸ギア５８から中継ぎギア５７を介して駆動ローラ用ギア５６へトルクが伝達される。
【００３７】
下部外装２の下面は開放され開口部３３となっており、スタンプ動作時に上部外装１を下に押すと転写ベルト１７が開口部３３から露出するようになっている。また、枠体８にはスタンプスイッチ３１が設置され、上部外装１が下降するとスタンプスイッチ３１は下部外装２に接触し、スタンプ式プリンター１００のスタンプ動作を検出する。
【００３８】
図５は、側面から見たスタンプ式プリンター１００の断面図である。
【００３９】
インクカートリッジ１０の下方から４色用のインクジェットヘッド３０が転写ベルト１７の方へ突出している。インクジェットヘッド３０は、転写ベルト１７の幅方向（主走査方向）に配列されたインク吐出ノズルアレイを有し、吐出するインクはインクカートリッジ１０から供給される。インクジェットヘッド３０は、シングルパス方式による主走査方向へのインクの吐出動作と、転写ベルト１７の副走査方向への移動動作とにより印刷を行う。なお、印刷時には図５に示すようにインク吐出ノズルと転写ベルト１７との間隔Ｄは１．０ｍｍに保たれている。
【００４０】
図６は、転写ベルト１７を示す斜視図である。
転写ベルト１７は、前述のように駆動ローラ１５およびテンションローラ１６に架設される。転写ベルト１７のエッジには転写ベルト１７の位置読み取り用の印刷部２９があり、エンコーダセンサー２８で読み取られる。
また、印刷部の太字線２９ａが、転写ベルト１７の初期位置（ホームポジション）として、エンコーダセンサー２８により読み取られるようになっている。
【００４１】
転写ベルト１７は、厚さ０．３５ｍｍのエチレンテレフタレート（ＰＥＴ）を基材とするエンドレスのベルトである。印刷部２９以外の外周面には、ＰＦＡ又はＰＴＦＥのコーティングが３０μｍｍから１００μｍｍの厚さで施され、インクの付着力を軽減させるようにしている。転写ベルト１７の強度を増すために無電解メッキからなる金属メッキ、例えばニッケルメッキを基材の表面もしくは裏面に施してもよい。
【００４２】
転写ベルト１７からインク画像が図２のようにスタンプされる場合、転写ベルト１７の中央が弛んで転写不十分になることを防止するため、図４に示すように保持パネル１８によって転写ベルト１７を裏面から支えるようにしている。また、転写ベルト１７は、後述するようにテンションローラ１６によってテンションが印加されており、ゆるみが出ないよう配慮されている。これらの対応により、転写する場合の画像転写抜けが防止される。
【００４３】
図７はスタンプ式プリンター１００横断面図であり、内部に収容された枠体８の構成を示す。
図７に示すように、駆動ローラ１５のシャフト６７の一端は、駆動ローラ用ギヤ５６と軸受け５１を貫通し、先端に抜け止め用のＥリング６７ａを備える。また、シャフト６７の他端は、軸受け５１を貫通し、先端に抜け止め用のＥリング６７ａを備える。
【００４４】
同様にテンションローラ１６のシャフト６８の両端もそれぞれ軸受け５１を貫通し、先端に抜け止め用のＥリング６８ａを備える。また、４つの軸受け５１はいずれも枠体８と保持パネル１８とを共通に貫通して支持されている。
さらに、保持パネル１８の上には補助基板２３が設置され、補助基板２３にはカバー開閉スイッチ２６とエンコーダセンサー２８が搭載されている。
【００４５】
図８は軸受け５１の構造図であり、（ａ）は正面図、（ｂ）は上面図、（ｃ）は（ａ）のＢ−Ｂ矢視断面図である。これらの図に示すように軸受け５１は、上面と左右側面にそれぞれボス５１ａを備え、正面に突出部５１ｂを備えると共に、シャフトを受入れて支持するための貫通孔５１ｃを備える。
【００４６】
図９は枠体８の構造図であり、（ａ）は正面図、（ｂ）は側面図、（ｃ）は（ａ）のＡ−Ａ矢視断面図である。これらの図に示すように枠体８は、一対の軸受貫通孔６５，６６をそれぞれ前面と後面に備える。
【００４７】
軸受け貫通孔６５，６６には、それぞれ図８に示す軸受け５１の突出部５１ｂが貫通し、各軸受け５１が枠体８に支持されるようになっている。軸受け貫通孔６５は軸受け５１の突出部５１ｂを受入れたとき、突出部５１ｂが上下方向に±１ｍｍだけ移動可能な形状とサイズを有する。また、軸受け貫通孔６６は軸受け５１の突出部５１ｂを受入れたとき、突出部５１ｂが上下方向および左右方向に±１ｍｍだけ移動可能な形状とサイズを有する。
【００４８】
また、枠体８は１対のバネ支持片６３，６４をそれぞれ前面と後面に備え、バネ支持片６３，６４はバネ固定用のボス６３ａ，６４ａを有する。さらに、枠体８はボス７７ａを有するバネ支持片７７を前面と後面に、ボス２１ａ，２２ａを有するロック爪２１，２２をそれぞれ左右の側面に備える。
【００４９】
図１０は保持パネル１８の構造図であり、（ａ）は正面図、（ｂ）は上面図、（ｃ）は側面図である。これらの図に示すように保持パネル１８の前面と後面にはそれぞれ１対の軸受け貫通孔７０と７１が形成されている。軸受け貫通孔７０と７１には図８に示す軸受け５１の突出部５１ｂが貫通するようになっている。軸受け貫通孔７０は軸受け５１の突出部５１ｂがぴったりと嵌入される形状とサイズを有する。また、軸受け貫通孔７１は、軸受け５１の突出部５１ｂを受入れたとき突出部５１ｂが左右方向に±１ｍｍだけ移動可能な形状とサイズを有する。
【００５０】
図１０（ｂ）に示すように、保持パネル１８は、切欠き穴７４を有する。切欠き穴７４は、後述するようにカバー開閉スイッチ２６（図７）の作動片７５（図１３）を通過させるために用いられる。また、保持パネル１８はステッピングモータ２７を取付けるモータ取付け板７３と、中継ギア５７（図４参照）を回転可能に支持するボス７２を備える。
【００５１】
なお、図７に示すように、駆動ローラ１５のシャフト６７の両端を支持する一対の軸受け５１は、それぞれ軸受け５１の突出部５１ｂが枠体８の軸受け貫通孔６５と保持パネル１８の軸受け貫通孔７０とを同時に貫通した状態で枠体８に支持される。
同様に、テンションローラ１６のシャフト６８の両端を支持する一対の軸受け５１は、それぞれ軸受け５１の突出部５１ｂが枠体８の軸受け貫通孔６６と保持パネル１８の軸受け貫通孔７１とを同時に貫通した状態で枠体８に支持される。
【００５２】
図１１は筐体５０に装着された枠体８の外面構成を示すための図４対応図である。同図に示すように、シャフト６７を支持する軸受け５１の上面のボス５１ａと、枠体８の外面のバネ支持片６４のボス６４ａとの間に支持された軸受け付勢バネ５５が、シャフト６７の軸受け５１を矢印Ｙ１方向に付勢する。
【００５３】
同様に、シャフト６８を支持する軸受け５１の上面のボス５１ａと、枠体８の外面のバネ支持片６３のボス６３ａとの間に支持された軸受け付勢バネ５２が、シャフト６８の軸受け５１を矢印Ｙ１方向に付勢する。
シャフト６７，６８がこの状態にあるとき、インクジェットヘッド５０と転写ベルト１７とは、図５に示すように間隔Ｄ＝１ｍｍを有する。
【００５４】
また、シャフト６８を支持する軸受け５１の側面のボス５１ａと、枠体８の外面のバネ支持片７７のボス７７ａとの間に支持されたベルト付勢バネ５４がシャフト６８の軸受け５１を矢印Ｘ方向に付勢する。これによって、テンションローラ１６（図４，図６参照）は、矢印Ｘ方向に矢印Ｘ方向に１〜２ｍｍ移動して転写ベルト１７に張力（テンション）を印加する。
【００５５】
図１２と図１３は、カバー３がスタンプ式プリンター１００に装着されたときの図１１対応図と、図５対応図である。カバー３が装着されると、前述のように係止部７６が上部外層１に係止し、カバー３が上部外層１に固着される。このとき、カバー３の内底面に立設する４つのリブ５３（図１（ｂ）参照）がそれぞれ対応する４つの軸受け５１を矢印Ｙ２の方向に押し上げる。
【００５６】
これによって、図１２，図１３に示すように転写ベルト１７はインクジェットヘッド３０に密着して間隔Ｄ＝０となり、それによって、インクジェットヘッド３０のノズルが閉鎖され、インクの乾燥によるノズルの詰まりが防止される。
また、この時、カバー３の内底面に立設する作動片７５が図１４に示すようにカバー開閉スイッチ２６をＯＦＦさせる。
【００５７】
図１５は、スタンプ式プリンター１００の制御系のブロック図を示す。
図１５に示すように、リチウム電池９の電力はカバー開閉スイッチ２６を介して制御部６０とモータドライバー回路２７ａに供給される。制御部１６０は、赤外線受光素子１３、継続スイッチ２５、エンコーダセンサ２８、スタンプスイッチ３１からの出力を受けて、プリントヘッド１０、ＬＥＤ発光素子２４およびモータドライバー回路２７ａに出力するようになっている。
【００５８】
なお、制御部１６０はＣＰＵ、ＲＯＭ、ＲＡＭからなるマイクロコンピュータ１６０ａおよびタイマー１６０ｂを備えると共に、赤外線受光素子１３から受取った画像データを格納するＳＤＲＡＭ３２を備える。また、モータドライバー回路２７ａは制御部６０から制御信号を受けてステッピングモータ２７を駆動制御するようになっている。
【００５９】
次に、図１６に示すフローチャートを用いて、スタンプ式プリンター１００の動作を説明する。
カバー３を外すことにより、転写ベルト１７とインクジェットヘッド３０との間隔Ｄ＝１ｍｍに開き、カバー開閉スイッチ２６がＯＮになり電源が入ると（ステップＳ１）、初期動作としてステッピングモータ２７が回転し、転写ベルト１７が駆動して、クリーナカートリッジ１４のクリーナシート１１により転写ベルト１７の清掃が行われる。この清掃期間を使用者に知らせるためにＬＥＤ発光素子２４を赤色で連続的に点灯させる（ステップＳ２）。転写ベルト１７のエンコーダ印刷太字線（ホームポジション）２９が、エンコーダセンサー２８で、読み取られたかどうか判断する（ステップＳ３）。
【００６０】
読み取られた場合には直ちに、ステッピングモータ２７を停止し、ＬＥＤ発光素子２４を赤色から緑色に点灯色を変化させ印刷データの受信が可能であることを知らせる（ステップＳ５）。もし、ステッピングモータ２７が電池パワー不足等で、動作不良の場合には、エンコーダセンサー２８は一定時間内に転写ベルト１７のエンコーダ印刷太字線２９が検知できないことから、ステッピングモータ２７が停止し、ＬＥＤ発光素子２４の赤色の点灯を維持する（ステップＳ４）。
【００６１】
携帯端末などより赤外線データが発信され、赤外線受光素子１３が、データを受信完了すると、つまり、受信開始から、２秒が経過すると（ステップＳ６）、ステッピングモータ２７により転写ベルト１７を副走査速度で移動させながらインクカートリッジ１０のインクジェットヘッド３０のインク吐出ノズルアレイからインクを主走査方向に吐出する。それによって、転写ベルト１７上に画像データを印刷してインク画像を形成すると共に、ＳＤＲＡＭ３２に画像データを格納し、ＬＥＤ発光素子２４を赤色で点灯させ、インク画像の形成中であることを知らせる（ステップＳ７）。
【００６２】
インクジェットヘッド３０から転写ベルト１７へのインク画像の形成が完了すると、転写ベルト１７は転写側に高速移動し、インク画像が開口部３３に対向する位置（接触転写可能位置）で停止する。そして、ＬＥＤ発光素子２４を緑色で点滅させスタンプ動作可能であることを使用者に知らせる（ステップＳ８）。
【００６３】
使用者は、スタンプ式プリンター１００の開口部３３をインク画像を転写したい場所（所望の記録媒体）に合せてスタンプ（接触転写）する。この動作をスタンプスイッチ３１が感知すると（ステップＳ９）、ステッピングモータ２７が回転し、転写ベルト１７が駆動して、クリーナシート１１による転写ベルト１７の清掃が行われ、転写ベルト１７のエンコーダ印刷太字線２９が、エンコーダセンサー２８で、読み取られた時点（ホームポジション）で、ステッピングモータ２７を停止し、ＬＥＤ発光素子２４を緑色の連続点灯に切り替える（ステップＳ１０）。
【００６４】
その後、スタンプ動作の間隔がタイマー１６０ａにより計時され、一定時間内（例えば、６０秒以内）に継続スイッチボタン５が押されなかった場合（ステップＳ１１）、放置されたと判断し、初期動作に戻ると共に、ＳＤＲＡＭ３２の画像データは消去される（ステップＳ１２）。使用者が、同じデータを再度スタンプしたい場合は（ステップＳ１１）、前記一定時間内に継続スイッチボタン５を押せば、ＳＤＲＡＭ３２から画像データが読出されルーチンはステップＳ７へ戻り、再度スタンプが可能となる。
【符号の説明】
【００６５】
１  上部外装
１ｅ  エッジ
２  下部外装
３  カバー
３ｅ  エッジ
４  赤外線受光部
５  ＬＥＤ発光部  並びに継続スイッチボタン
６  マーク
７  スタンプ画像
８  枠体
９  リチウム電池
１０  インクカートリッジ
１１  クリーナシート
１２  コントロール基板
１３  赤外線受光素子
１４  クリーナカートリッジ
１５  駆動ローラ
１６  テンションローラ
１７  転写ベルト
１８  保持パネル
１９  復帰バネ
２０  復帰バネ
２１  ロック爪
２１ａ  ボス
２２  ロック爪
２２ａ  ボス
２３  補助基板
２４  ＬＥＤ発光素子
２５  継続スイッチ
２６  カバー開閉スイッチ
２７  ステッピングモータ
２８  エンコーダセンサー
２９  印刷部
２９ａ  太字線
３０  インクジェットヘッド
３１  スタンプスイッチ
３２  ＳＤＲＡＭ
３３  開口部
５０  筐体
５１  軸受け
５１ａ  ボス
５１ｂ  突出部
５２  軸受け付勢バネ
５３  リブ
５４  ベルト付勢バネ
５５  軸受け付勢バネ
５６  駆動ローラ用ギア
５７  中継ギア
５８  出力軸ギア
５９  加圧ローラ
６０  制御部
６０  係止片
６１  バネ支持片
６１ａ  ボス
６２  バネ支持片
６２ａ  ボス
６３  バネ支持片
６３ａ  ボス
６４  バネ支持片
６４ａ  ボス
６５  軸受け貫通孔
６６  軸受け貫通孔
６７  シャフト
６８  シャフト
６７ａ  Ｅリング
６８ａ  Ｅリング
７０  軸受け貫通孔
７１  軸受け貫通孔
７２  ボス
７３  モータ取付け板
７４  切欠き穴
７５  作動片
７６  係止部
７６ａ  凹部
７７  バネ支持片
７７ａ  ボス
１００  スタンプ式プリンター
Ｐ  用紙
【図１】
2010030272.tif 000003
【図２】
2010030272.tif 000004
【図３】
2010030272.tif 000005
【図４】
2010030272.tif 000006
【図５】
2010030272.tif 000007
【図６】
2010030272.tif 000008
【図７】
2010030272.tif 000009
【図８】
2010030272.tif 000010
【図９】
2010030272.tif 000011
【図１０】
2010030272.tif 000012
【図１１】
2010030272.tif 000013
【図１２】
2010030272.tif 000014
【図１３】
2010030272.tif 000015
【図１４】
2010030272.tif 000016
【図１５】
2010030272.tif 000017
【図１６】
2010030272.tif 000018